(57)【要約】本願では、信号伝送装置及びインテリジェントテレビを開示する。信号伝送装置はインテリジェントテレビに用いられ、インテリジェントテレビには無線信号モジュールが設置され、当該信号伝送装置は、信号入力ポートが設けられ、信号入力ポートが無線信号モジュールと接続されているメインアンテナと、メインアンテナに近接して、且つメインアンテナと間隔を置いて設置され、信号出力ポートが設けられている伝送アンテナと、信号入力ポートが設けられ、信号入力ポートが信号伝送ラインで伝送アンテナの信号出力ポートと接続されているブラインドエリア補正アンテナとを含み、メインアンテナは無線信号モジュールにより入力された信号を受信し、伝送アンテナによりメインアンテナの一部の信号を受信して且つ信号伝送ラインを通して当該信号をブラインドエリア補正アンテナまで伝送し、ブラインドエリア補正アンテナは受信された信号を外部へ送信して、メインアンテナの信号ブラインドエリアを補正する。  【選択図】図１
2021505094.tif 000002
【特許請求の範囲】
【請求項１】
インテリジェントテレビに用いられる信号伝送装置であって、前記インテリジェントテレビには無線信号モジュールが設置され、前記信号伝送装置は、
信号入力ポートが設けられ、信号入力ポートが前記無線信号モジュールと接続されているメインアンテナと、
前記メインアンテナに近接して、且つ前記メインアンテナと間隔を置いて設置され、信号出力ポートが設けられている伝送アンテナと、
信号入力ポートが設けられ、信号入力ポートが信号伝送ラインにより前記伝送アンテナの信号出力ポートと接続されているブラインドエリア補正アンテナとを含み、
前記メインアンテナは前記無線信号モジュールにより入力された信号を受信して且つ外部へ送信し、前記伝送アンテナは前記メインアンテナの一部の信号を受信して且つ信号伝送ラインを通して当該信号をブラインドエリア補正アンテナまで伝送し、前記ブラインドエリア補正アンテナは受信された信号を外部へ送信して、前記メインアンテナの信号ブラインドエリアを補正する
信号伝送装置。
【請求項２】
前記メインアンテナは第一媒体基板に設置され、前記伝送アンテナは第二媒体基板に設置され、前記第一媒体基板は前記第二媒体基板と近接して且つ対向するように設置され、  前記メインアンテナは前記第一媒体基板の前記第二媒体基板へ向く表面に設置され、前記伝送アンテナは前記第二媒体基板の前記第一媒体基板へ向く表面に設置されている
請求項１に記載の信号伝送装置。
【請求項３】
前記第一媒体基板と第二媒体基板とはいずれもＰＣＢ基板である
請求項２に記載の信号伝送装置。
【請求項４】
前記第一媒体基板と第二媒体基板とはいずれも矩形構造である
請求項３に記載の信号伝送装置。
【請求項５】
前記メインアンテナと伝送アンテナとは対向するように設置され、前記メインアンテナと伝送アンテナとの間の距離は少なくとも１ｍｍで且つ１０ｍｍを超えない
請求項２に記載の信号伝送装置。
【請求項６】
前記第一媒体基板と第二媒体基板とはいずれもＰＣＢ基板である
請求項５に記載の信号伝送装置。
【請求項７】
前記第一媒体基板と第二媒体基板とはいずれも矩形構造である
請求項６に記載の信号伝送装置。
【請求項８】
前記メインアンテナと伝送アンテナとはいずれもマイクロストリップアンテナである
請求項１に記載の信号伝送装置。
【請求項９】
前記メインアンテナは円形偏波アンテナであり、前記伝送アンテナは円形偏波アンテナ或いは線形偏波アンテナであり、
もしくは、前記メインアンテナは線形偏波アンテナであり、前記伝送アンテナは円形偏波アンテナ或いは線形偏波アンテナである
請求項８に記載の信号伝送装置。
【請求項１０】
前記第一媒体基板と前記第二媒体基板とにはいずれも給電点が設けられ、前記第二媒体基板の給電点は前記伝送ラインと接続されている
請求項２に記載の信号伝送装置。
【請求項１１】
信号伝送装置を含むインテリジェントテレビであって、前記インテリジェントテレビには無線信号モジュールが設置され、前記信号伝送装置は、
信号入力ポートが設けられ、信号入力ポートが前記無線信号モジュールと接続されているメインアンテナと、
前記メインアンテナに近接して、且つ前記メインアンテナと間隔を置いて設置され、信号出力ポートが設けられている伝送アンテナと、
信号入力ポートが設けられ、信号入力ポートが信号伝送ラインにより前記伝送アンテナの信号出力ポートと接続されているブラインドエリア補正アンテナとを含み、
前記メインアンテナは前記無線信号モジュールにより入力された信号を受信して且つ外部へ送信し、前記伝送アンテナは前記メインアンテナの一部の信号を受信して且つ信号伝送ラインを通して当該信号をブラインドエリア補正アンテナまで伝送し、前記ブラインドエリア補正アンテナは受信された信号を外部へ送信して、前記メインアンテナの信号ブラインドエリアを補正する
インテリジェントテレビ。
【請求項１２】
前記インテリジェントテレビにはバックケースが設置され、前記信号伝送装置は前記バックケースに設置され、
或いは、前記インテリジェントテレビには収容空間が設けられ、前記信号伝送装置は前記収容空間に設置されている
請求項１１に記載のインテリジェントテレビ。
【請求項１３】
前記メインアンテナは第一媒体基板に設置され、前記伝送アンテナは第二媒体基板に設置され、前記第一媒体基板は前記第二媒体基板と近接して且つ対向するように設置され、前記メインアンテナは前記第一媒体基板の前記第二媒体基板へ向く表面に設置され、前記伝送アンテナは前記第二媒体基板の前記第一媒体基板へ向く表面に設置されている
請求項１２に記載のインテリジェントテレビ。
【請求項１４】
前記第一媒体基板と第二媒体基板とはいずれもＰＣＢ基板である
請求項１３に記載の信号伝送装置。
【請求項１５】
前記メインアンテナと伝送アンテナとは対向するように設置され、前記メインアンテナと伝送アンテナとの間の距離は少なくとも１ｍｍで且つ１０ｍｍを超えない
請求項１３に記載のインテリジェントテレビ。
【請求項１６】
前記第一媒体基板と第二媒体基板とはいずれもＰＣＢ基板である
請求項１５に記載のインテリジェントテレビ。
【請求項１７】
前記第一媒体基板と第二媒体基板とはいずれも矩形構造である
請求項１６に記載のインテリジェントテレビ。
【請求項１８】
前記メインアンテナと伝送アンテナとはいずれもマイクロストリップアンテナである
請求項１２に記載のインテリジェントテレビ。
【請求項１９】
前記メインアンテナは円形偏波アンテナであり、前記伝送アンテナは円形偏波アンテナ或いは線形偏波アンテナであり、
もしくは、前記メインアンテナは線形偏波アンテナであり、前記伝送アンテナは円形偏波アンテナ或いは線形偏波アンテナである
請求項１８に記載のインテリジェントテレビ。
【請求項２０】
前記第一媒体基板と前記第二媒体基板とにはいずれも給電点が設けられ、前記第二媒体基板の給電点は前記伝送ラインと接続されている
請求項１３に記載のインテリジェントテレビ。
【発明の詳細な説明】
【技術分野】
【０００１】
本願は中国専利局に２０１８年０７月２３日に提出された、出願番号２０１８１０８１５０５４．１、発明名称「信号伝送装置及びインテリジェントテレビ」である中国特許出願の優先権を主張し、その全ての内容を引用により本願に組み入れる。
【０００２】
本願は通信の技術分野に関し、特に信号伝送装置及びインテリジェントテレビに関する。
【背景技術】
【０００３】
現在、インテリジェントテレビにおける無線伝送技術の応用はますます広がり、使用者による利用が便利になりつつある。しかし、現在のテレビのスクリーンは大きくなり、特にテレビの内部に複雑な金属部品が設置されている背景において、マンマシンインタフェース用のブルートゥース（登録商標）、及びテレビ信号の無線伝送用のＭＩＭＯ等の信号伝送装置を用いても、信号伝送において、死角或いはブラインドエリアが存在しがちであり、信号伝送の死角或いはブラインドエリアにおいて、ブルートゥース通信が失敗したり、ＷＩＦＩ接続にラグが発生する等無線伝送に不具合が生じる現象が発生する。様々な条件による制限、例えば、大きい金属面による電磁信号に対する反射が存在しており、現在では、業界でもこの分野の研究は少なく、有効な解決策は未だに見つかっていない。
【０００４】
一方、業界では、現在の解決方法として、モジュールアンテナを置く位置を変えて、信号の伝送効果をテストにより比較することで、信号伝送が最もよい位置を探し出している。可視化できる電磁界型の分析エミュレーションがないため、最終的なブラインドエリア或いは信号死角の存在に対しては完全に無力である。
【発明の概要】
【発明が解決しようとする課題】
【０００５】
本願の主な目的としては、信号のフルカバレッジを実現するための信号伝送装置を提案する。
【課題を解決するための手段】
【０００６】
上記目的を実現するために、本願ではインテリジェントテレビに用いられる信号伝送装置を提案し、前記インテリジェントテレビには無線信号モジュールが設置され、前記信号伝送装置は、信号入力ポートが設けられ、信号入力ポートが前記無線信号モジュールと接続されているメインアンテナと、前記メインアンテナに近接して、且つ前記メインアンテナと間隔を置いて設置され、信号出力ポートが設けられている伝送アンテナと、信号入力ポートが設けられ、信号入力ポートが信号伝送ラインにより前記伝送アンテナの信号出力ポートと接続されているブラインドエリア補正アンテナとを含み、前記メインアンテナは前記無線信号モジュールにより入力された信号を受信して且つ外部へ送信し、前記伝送アンテナは前記メインアンテナの一部の信号を受信して且つ信号伝送ラインを通して当該信号をブラインドエリア補正アンテナまで伝送し、前記ブラインドエリア補正アンテナは受信された信号を外部へ送信して、前記メインアンテナの信号ブラインドエリアを補正する。
【０００７】
好ましくは、前記メインアンテナは第一媒体基板に設置され、前記伝送アンテナは第二媒体基板に設置され、前記第一媒体基板は前記第二媒体基板と近接して且つ対向するように設置され、前記メインアンテナは前記第一媒体基板の前記第二媒体基板へ向く表面に設置され、前記伝送アンテナは前記第二媒体基板の前記第一媒体基板へ向く表面に設置されている。
【０００８】
好ましくは、前記メインアンテナと伝送アンテナは対向するように設置され、前記メインアンテナと伝送アンテナとの間の距離は少なくとも１ｍｍで且つ１０ｍｍを超えない。
【０００９】
好ましくは、前記第一媒体基板と第二媒体基板はいずれもＰＣＢ基板である。
【００１０】
好ましくは、前記メインアンテナと伝送アンテナはいずれもマイクロストリップアンテナである。
【００１１】
好ましくは、前記メインアンテナは円形偏波アンテナで、前記伝送アンテナは円形偏波アンテナ或いは線形偏波アンテナであり、もしくは、前記メインアンテナは線形偏波アンテナで、前記伝送アンテナは円形偏波アンテナ或いは線形偏波アンテナである。
【００１２】
好ましくは、前記第一媒体基板と第二媒体基板とはいずれも矩形構造である。
【００１３】
好ましくは、前記第一媒体基板と前記第二媒体基板にはいずれも給電点が設けられ、前記第二媒体基板の給電点は前記伝送ラインと接続されている。
【００１４】
本願は更に、前記信号伝送装置を含むインテリジェントテレビを提案する。前記インテリジェントテレビには無線信号モジュールが設置され、前記信号伝送装置は、信号入力ポートが設けられ、信号入力ポートが前記無線信号モジュールと接続されているメインアンテナと、前記メインアンテナに近接して、且つ前記メインアンテナと間隔を置いて設置され、信号出力ポートが設けられている伝送アンテナと、信号入力ポートが設けられ、信号入力ポートが信号伝送ラインにより前記伝送アンテナの信号出力ポートと接続されているブラインドエリア補正アンテナとを含み、前記メインアンテナは前記無線信号モジュールにより入力された信号を受信して且つ外部へ送信し、前記伝送アンテナは前記メインアンテナの一部の信号を受信して且つ信号伝送ラインを通して当該信号をブラインドエリア補正アンテナまで伝送し、前記ブラインドエリア補正アンテナは受信された信号を外部へ送信して、前記メインアンテナの信号ブラインドエリアを補正する。
【００１５】
好ましく、前記インテリジェントテレビにはバックケースが設置され、前記信号伝送装置は前記バックケースに設置され、或いは、前記インテリジェントテレビには収容空間が設けられ、前記信号伝送装置は前記収容空間に設置されている。
【００１６】
本願の技術案によれば、インテリジェントテレビ内の無線信号モジュールをメインアンテナの信号入力ポートと接続して、無線信号モジュールにおける信号をアンテナにより送信する。メインアンテナは受信された信号を送信し、メインアンテナと伝送アンテナとが間隔を置いて設置される方法により、信号の空間給送伝送を実現する。空間給送により信号を伝送する方法では、信号のオーバーフローがあり、即ち、信号が全て伝送アンテナまで伝わることは不可能である。このため、メインアンテナにより送信される信号の一部は伝送アンテナに伝送され、残りの部分は直接メインアンテナにより送信され、メインアンテナ近くの信号カバレッジを実現する。一方、伝送アンテナにより受信された信号は信号伝送ラインを通してブラインドエリア補正アンテナまで伝送され、ブラインドエリア補正アンテナは受信された信号を送信して、ブラインドエリア補正アンテナ近くの信号カバレッジを実現する。ブラインドエリア補正アンテナと伝送アンテナとの間では伝送ラインによる接続方法を採用するので、ブラインドエリア補正アンテナの位置は任意に調節でき、インテリジェントテレビ周りの信号のフルカバレッジを実現できる。これにより、信号のブラインドエリアの存在を避けて、さらには接続のラグ及び通信渋滞の発生を避けて、使用者による利用を便利にできる。
【図面の簡単な説明】
【００１７】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願の信号伝送装置の一実施例の構造模式図である。
【図２】本願のメインアンテナの一実施例における構造模式図である。
【図３】本願の伝送アンテナの一実施例の構造模式図である。
【発明を実施するための形態】
【００１８】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属する。
【００１９】
本願実施例での全ての方向性指示（例えば上、下、左、右、前、後．．．）は、当該方向性指示はある特定の姿勢（添付図面に示す）における各部品間の相対的位置関係、移動状況等を説明するためだけに用いられ、もし当該特定の姿勢が変わる場合、当該方向性指示もそれ相当に変わることは説明すべきである。
【００２０】
本願において、別途明確な規定や限定がない限り、術語「接続」、「固定」などは広義に理解されるべきである。例えば、「固定」は固定的な接続でもよく、取り外し可能な接続でもよく、或いは一体としてもよい。機械的な接続でもよく、電気的な接続でもよい。直接につながってもよく、中間にある媒介によって間接的につながってもよく、二つの素子内部の連通或いは二つの素子の相互作用関係であってもよい。当業者にとって、具体的な状況により上記術語の本願における具体的な意味を理解できる。
【００２１】
また、本願実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００２２】
本願は信号のフルカバレッジを実現できる信号伝送装置１００を提案する。
【００２３】
本願の実施例において、信号伝送装置１００はインテリジェントテレビ（図示しない）に用いられ、インテリジェントテレビには無線信号モジュールが設置され、図１から図３に示すように、当該信号伝送装置１００は、信号入力ポートが設けられ、信号入力ポートが無線信号モジュールと接続されているメインアンテナ２０と、メインアンテナ２０に近接して、且つメインアンテナ２０と間隔を置いて設置され、信号出力ポートが設けられている伝送アンテナ４０と、信号入力ポートが設けられ、信号入力ポートが信号伝送ライン５０で伝送アンテナ４０の信号出力ポートと接続されているブラインドエリア補正アンテナ６０とを含み、メインアンテナ２０は無線信号モジュールにより入力された信号を受信して且つ外部へ送信し、伝送アンテナ４０によりメインアンテナの一部の信号を受信して且つ信号伝送ライン５０を通して当該信号をブラインドエリア補正アンテナ６０まで伝送し、ブラインドエリア補正アンテナ６０は受信された信号を外部へ送信して、メインアンテナ２０の信号ブラインドエリアを補正する。
【００２４】
本願の技術案によれば、インテリジェントテレビ内の無線信号モジュールをメインアンテナ２０の信号入力ポートと接続して、無線信号モジュールにおける信号をアンテナにより送信する。メインアンテナ２０は受信された信号を送信し、メインアンテナ２０と伝送アンテナ４０が間隔を置いて設置される方法により、信号の空間給送伝送を実現する。空間給送により信号を伝送する方法では、信号のオーバーフローがあり、即ち、信号は全て伝送アンテナ４０まで伝わることは不可能である。このため、メインアンテナ２０により送信される信号の一部は伝送アンテナ４０に伝送され、残りの部分は直接メインアンテナ２０により送信され、メインアンテナ２０近くの信号カバレッジを実現する。一方、伝送アンテナ４０により受信された信号は信号伝送ライン５０を通してブラインドエリア補正アンテナ６０まで伝送され、ブラインドエリア補正アンテナ６０は受信された信号を送信して、ブラインドエリア補正アンテナ６０近くの信号カバレッジを実現する。ブラインドエリア補正アンテナ６０と伝送アンテナ４０との間では伝送ラインによる接続方法を採用するので、ブラインドエリア補正アンテナ６０の位置は任意に調節でき、インテリジェントテレビ周りの信号のフルカバレッジを実現できる。これにより、信号のブラインドエリアの存在を避けて、さらには接続のラグ及び通信渋滞の発生を避けて、使用者による利用を便利にできる。
【００２５】
さらに、図１に示すように、メインアンテナ２０は第一媒体基板１０に設置され、伝送アンテナ４０は第二媒体基板３０に設置され、第一媒体基板１０は第二媒体基板３０と近接して且つ対向するように設置され、メインアンテナ２０は第一媒体基板１０の第二媒体基板３０へ向く表面に設置され、伝送アンテナ４０は第二媒体基板３０の第一媒体基板１０へ向く表面に設置されている。本技術案のメインアンテナ２０と伝送アンテナ４０との間では空間給送の形式で信号の伝送を実現するので、メインアンテナ２０を第一媒体基板１０に設置し、伝送アンテナ４０を第二媒体基板３０に設置することで、アンテナの固定を便利にして、さらにはメインアンテナ２０と伝送アンテナ４０との間の隙間を保証しやすくする。本願の他の実施例において、メインアンテナ２０と伝送アンテナ４０を直接プラスチック製のネジで固定したり、或いはメインアンテナ２０と伝送アンテナ４０を発泡板に設置して固定したりすることが可能である。
【００２６】
さらに、メインアンテナ２０と伝送アンテナ４０は対向するように設置され、メインアンテナ２０と伝送アンテナ４０との間の距離は１ｍｍから１０ｍｍである。これによりメインアンテナ２０から伝送アンテナ４０まで伝送される信号の量を限定する。メインアンテナ２０と伝送アンテナ４０との間の隙間が小さすぎる場合、メインアンテナ２０から伝送アンテナ４０まで伝送される信号の量が多すぎて、メインアンテナ２０から直接送信される信号が少なすぎて、メインアンテナ２０近くの信号カバレッジを実現できず、接続のラグ或いは通信渋滞の問題を起こして、使用者の利用に影響してしまう。メインアンテナ２０と伝送アンテナ４０との間の隙間が大きすぎる場合、メインアンテナ２０から伝送アンテナ４０まで伝送される信号の量が少なすぎて、伝送アンテナ４０とブラインドエリア補正アンテナ６０との間では信号伝送ライン５０で接続され、伝送アンテナ４０は受信された信号を信号伝送ライン５０を通してブラインドエリア補正アンテナ６０まで伝送しているので、伝送アンテナ４０で受信される信号の量が比較的少ないため、ブラインドエリア補正アンテナ６０で受信される信号の量も非常に少なく、ブラインドエリア補正アンテナ６０から送信される信号の量が少なく、ブラインドエリア補正アンテナ６０近くの信号カバレッジを実現できず、接続のラグ或いは通信渋滞の問題を起こして、使用者の利用に影響してしまう。よって、本技術案では、メインアンテナ２０と伝送アンテナ４０との間の距離を１ｍから１０ｍｍとして、実際の応用では、当該距離としては、１ｍｍ、２ｍｍ、３ｍｍ、４ｍｍ、５ｍｍ、６ｍｍ、７ｍｍ、８ｍｍ、９ｍｍ或いは１０ｍｍとすることが可能である。
【００２７】
さらに、第一媒体基板１０と第二媒体基板３０はいずれもＰＣＢ基板である。メインアンテナ２０と伝送アンテナ４０を直接ＰＣＢ基板の表面にプリントすることで、アンテナを加工しやすくしてもよい。プリントアンテナの体積が低いので、本技術案を空間が比較的小さい位置へ応用しやすくなる。本願の他の実施例において、第一媒体基板１０と第二媒体基板３０としては他の材質を採用してもよい。
【００２８】
さらに、メインアンテナ２０と伝送アンテナ４０はいずれもマイクロストリップアンテナである。マイクロストリップアンテナには体積が小さい、重量が軽い、及び製造プロセスが簡単であるという利点があるので、メインアンテナ２０と伝送アンテナ４０を製造しやすくすることが可能である。同様に、本願におけるブラインドエリア補正アンテナ６０はマイクロストリップアンテナでもよく、普通のアンテナでもよい。図１において、ブラインドエリア補正アンテナ６０としては線形偏波マイクロストリップアンテナを使用している。本願の他の実施例において、メインアンテナ２０と伝送アンテナ４０をＰＣＢ基板に設置でき且つ空間給送伝送を実現できるアンテナとしてもいい。
【００２９】
さらに、図２と図３に示すように、メインアンテナ２０は円形偏波アンテナであり、伝送アンテナ４０は円形偏波アンテナ或いは線形偏波アンテナであり、もしくは、メインアンテナ２０は線形偏波アンテナであり、伝送アンテナ４０は円形偏波アンテナ或いは線形偏波アンテナである。円形偏波アンテナと線形偏波アンテナといずれも信号の指向性送信を実現できるために、メインアンテナ２０と伝送アンテナ４０の間で信号を伝送しやすくできる。
【００３０】
さらに、第一媒体基板１０と第二媒体基板３０はいずれも矩形構造である。矩形構造を採用することで、切削加工しやすいだけでなく、信号の伝送もしやすくする。
【００３１】
さらに、第一媒体基板１０と第二媒体基板３０にはいずれも給電点１１が設けられ、第二媒体基板３０の給電点１１は伝送ラインと接続されている。これにより信号ラインとの接続を実現して、さらには信号の伝送を実現する。第一媒体基板１０上にはさらにブルートゥース或いはＷＩＦＩの信号伝送モジュールが設置され、信号伝送モジュールは給電点１１と接続されて、給電点１１から伝送される信号を受信する。
【００３２】
本願は更に、信号伝送装置１００を含むインテリジェントテレビ１００を提案する。インテリジェントテレビには無線信号モジュールが設置され、信号伝送装置１００は、信号入力ポートが設けられ、信号入力ポートが無線信号モジュールと接続されているメインアンテナ２０と、メインアンテナ２０に近接して、且つメインアンテナ２０と間隔を置いて設置され、信号出力ポートが設けられている伝送アンテナ４０と、信号入力ポートが設けられ、信号入力ポートが信号伝送ライン５０で伝送アンテナ４０の信号出力ポートと接続されているブラインドエリア補正アンテナ６０とを含み、メインアンテナ２０は無線信号モジュールにより入力された信号を受信して且つ外部へ送信し、伝送アンテナ４０によりメインアンテナの一部の信号を受信して且つ信号伝送ライン５０を通して当該信号をブラインドエリア補正アンテナ６０まで伝送し、ブラインドエリア補正アンテナ６０は受信された信号を外部へ送信して、メインアンテナ２０の信号ブラインドエリアを補正する。
【００３３】
本実施例では、無線信号モジュールを第一媒体基板１０に設置して、メインアンテナ２０の信号入力ポートと接続しやすくする。本願の他の実施例において、無線信号モジュールをインテリジェントテレビの内部、或いはインテリジェントテレビのケースに設置できる。
【００３４】
好ましくは、インテリジェントテレビにはバックケースが設置され、信号伝送装置１００はバックケースに設置されている。インテリジェントテレビの前部には表示装置が設置され、隙間空間が非常に小さいので、信号伝送装置１００をバックケースに設置する。本願の他の実施例において、インテリジェントテレビには収容空間が設けられ、信号伝送装置１００を収容空間に設置することで、信号のフルカバレッジを実現して、使用者による利用を便利にする。
【００３５】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００３６】
１００  信号伝送装置
１０  第一媒体基板
１１  給電点
２０  メインアンテナ
３０  第二媒体基板
４０  伝送アンテナ
５０  信号伝送ライン
６０  ブラインドエリア補正アンテナ
【図１】
2021505094.tif 000003
【図２】
2021505094.tif 000004
【図３】
2021505094.tif 000005
【国際調査報告】
2021505094.tif 000006
2021505094.tif 000007
2021505094.tif 000008
2021505094.tif 000009